(57)【要約】【課題】妊婦、肋骨骨折等で胸部を固定する必要のある人等が容易に装着することができると共に、長時間快適に装着することのできる骨格固定帯を提供する。【解決手段】帯状の基底部２と、基底部よりも幅狭に形成され、基底部の一方の面に、基底部の短手方向の中心部を通って長手方向に延びるように、かつ基底部の長手方向の両端部から突出するように取り付けられる紐部３とを備え、基底部と紐部とは、基底部の両端部と、基底部の長手方向の中心部において一体化されている（縫い合わせ部２ｆ）と共に、基底部の長手方向の中心部から両端部方向に所定距離離れた２箇所において一体化されている（縫い合わせ部２ｇ）骨格固定帯１。基底部の紐部が装着される面とは反対側の面に包帯生地２ｄ、２ｅを備えることができる。紐部において、基底部の長手方向の両端部から突出する部分をガーゼ生地のみで形成することができる。【選択図】図１
2018134167.tif 000002
【特許請求の範囲】
【請求項１】
帯状の基底部と、
該基底部よりも幅狭に形成され、該基底部の一方の面に、該基底部の短手方向の中心部を通って長手方向に延びるように、かつ該基底部の長手方向の両端部から突出するように取り付けられる紐部とを備え、
前記基底部と前記紐部とは、該基底部の前記両端部と、該基底部の長手方向の中心部において一体化されていると共に、前記基底部の長手方向の中心部から前記両端部方向に所定距離離れた２箇所において一体化されていることを特徴とする骨格固定帯。
【請求項２】
前記基底部の前記紐部が装着される面とは反対側の面に包帯生地を備えることを特徴とする請求項１に記載の骨格固定帯。
【請求項３】
前記紐部において、前記基底部の長手方向の両端部から突出する部分は、ガーゼ生地のみで形成されていることを特徴とする請求項１又は２に記載の骨格固定帯。
【請求項４】
前記紐部の両端部が挿通される輪状部を備えることを特徴とする請求項１、２又は３に記載の骨格固定帯。
【請求項５】
前記基底部の長手方向の中心部は他の部分よりも幅狭であると共に、前記基底部の両端部の角部は面取りされていることを特徴とする請求項１乃至４のいずれかに記載の骨格固定帯。
【発明の詳細な説明】
【技術分野】
【０００１】
本発明は、腰痛、骨盤及び胸部の緩みや歪みを解消させるために用いる骨格固定帯に関する。
【背景技術】
【０００２】
妊娠中や産後等の腰痛や恥骨痛等を解消させるため、恥骨と臀部の上に装着して骨盤を支持し、両端部をマジックテープ（登録商標）や伸縮ゴムによって基底部に固定する骨盤固定帯が存在する。また、これらマジックテープや伸縮ゴムを用いずに、臀部上でベルトの両端部を結んで装着する骨盤固定帯も存在する。さらに、骨盤の支持以外にも、肋骨骨折等で胸部を固定する必要のある人のために、上記骨盤固定帯と同様の構成を有する胸部固定帯も存在する。
【発明の概要】
【発明が解決しようとする課題】
【０００３】
しかし、上記骨盤固定帯や胸部固定帯といった骨格固定帯の装着者によっては、マジックテープによって皮膚がかぶれることがあり、長時間肌に直接装着することが困難な場合があった。特に、帝王切開等の手術後の患者は、骨格固定帯の生地やマジックテープ部分が創部に擦れることによる痛みのために装着できないこともあった。そこで、骨格固定帯を下着の上から装着すると、装着位置がずれ易くなるという問題があった。
【０００４】
また、伸縮ゴムを使用したベルトは、強固に固定し過ぎる結果、立位から座位へ体を移動させる際などにうっ血、青あざが生じたり、血液循環不良になるおそれがあった。
【０００５】
また、マジックテープを用いずにベルトの両端部を結んで装着するものでは、装着後に緩むことがないので、体動によっては着圧が高くなり、紐が体に食い込んで体を圧迫するおそれがあった。
【０００６】
さらに、従来の骨格固定帯は、前面（恥骨結合上）の部分が分厚いため、特に座位の際に下腹部の肉がベルトに乗り上げてしまうという問題があり、その不快感を避けようとした結果、姿勢が反ってしまうという問題があった。
【０００７】
一方、胸部圧迫帯の装着方法は、息を吐きながらマジックテープを固定する際に下に入り込んだ生地と上に位置するマジックテープの生地を反対方向に引き合わせながら装着する必要があるため、痛みのある際に装着するにはかなり労力を要する。
【０００８】
そこで、本発明は、上記従来の骨格固定帯における問題点に鑑みてなされたものであって、妊婦、産婦、褥婦、肋骨骨折等で胸部を固定する必要のある人のみならず、腰痛や骨盤その他の骨格に緩みや歪みのある老若男女にとって装着し易く、長時間快適に骨格を固定することのできる骨格固定帯を提供することを目的とする。
【課題を解決するための手段】
【０００９】
上記目的を達成するため、本発明の骨格固定帯は、帯状の基底部と、該基底部よりも幅狭に形成され、該基底部の一方の面に、該基底部の短手方向の中心部を通って長手方向に延びるように、かつ該基底部の長手方向の両端部から突出するように取り付けられる紐部とを備え、前記基底部と前記紐部とは、該基底部の前記両端部と、該基底部の長手方向の中心部において一体化されていると共に、前記基底部の長手方向の中心部から前記両端部方向に所定距離離れた２箇所において一体化されていることを特徴とする。
【００１０】
本発明によれば、基底部の長手方向の中心部から両端部方向に所定距離離れた２箇所において基底部と紐部が一体化されているため、この一体化した部分を利用して紐部を基底部に固定することができ、マジックテープや伸縮ゴムを使わずに、また、紐部の両端部を結ばずに骨格固定帯を容易に装着することができる。これにより、骨格固定帯によって使用者の体が受ける圧力を調整することができ、また、マジックテープ等を用いる際の不具合を解消することもでき、長時間快適に装着することができる。
【００１１】
上記骨格固定帯において、前記基底部の前記紐部が装着される面とは反対側の面に包帯生地を備えることができる。これにより、基底部が体の表面を滑ることを防止し、より快適に装着することができる。
【００１２】
また、前記紐部において、前記基底部の長手方向の両端部から突出する部分を、ガーゼ生地のみで形成することができる。これにより、紐部を薄く形成することができ、紐部を交差させた部分や、基底部と紐部とが重なる部分の体表面への圧迫感を軽減することができる。
【００１３】
さらに、前記紐部の両端部が挿通される輪状部を備えることができ、これにより、紐部の両端部が離れて骨格固定帯全体が落下することを防止することができる。
【００１４】
また、前記基底部の長手方向の中心部を他の部分よりも幅狭にすると共に、前記基底部の両端部の角部を面取りすることで、装着者の体への不要な当たりを避け、より快適に装着することができる。
【発明の効果】
【００１５】
以上のように、本発明によれば、装着し易く、長時間快適に骨格を固定することのできる骨格固定帯を提供することが可能となる。
【図面の簡単な説明】
【００１６】
【図１】本発明に係る骨格固定帯の一実施の形態を示し、（ａ）は正面図、（ｂ）は上面図、（ｃ）は下面図である。
【図２】本発明に係る骨格固定帯の輪状部を示し、（ａ）は正面図、（ｂ）は側面図である。
【図３】本発明に係る骨格固定帯の装着方法を説明するための概略図である。
【発明を実施するための形態】
【００１７】
次に、本発明を実施するための形態について図面を参照しながら詳細に説明する。
【００１８】
図１及び図２は、本発明にかかる骨格固定帯の一実施の形態を示し、この骨格固定帯１は、２つの基部２ａ、２ｂを備える帯状の基底部２と、基底部２よりも幅狭の紐部３と、基底部２及び紐部３とは別体に構成された輪状部４とを備える。
【００１９】
基底部２は、全体的に晒からなり、２つの基部２ａ、２ｂは、幅狭部２ｃによって結合されている。各々の基部２ａ、２ｂの角部は面取りされている（面取り部２ｈ）。基部２ａ、２ｂの紐部３を装着しない面に包帯生地２ｄ、２ｅを縫い付けたり、貼着している。
【００２０】
紐部３は、基底部２よりも幅狭の帯状に形成され、基底部２の一方の面に、基底部２の短手方向の中心部を通って長手方向に延びるように、かつ基底部２の長手方向の両端部２ｊから突出するように基底部２に取り付けられる。基底部２の両端部２ｊから突出する紐部３の部分はガーゼ生地のみで形成され、その他の部分は、芯に晒を使用し、表面にガーゼ生地を用いている。
【００２１】
基底部２と紐部３とは、基底部２の両端部２ｊ及び幅狭部２ｃで縫い合わされる（縫い合わせ部２ｆ）と共に、両端部２ｊと幅狭部２ｃとの間の２箇所２ｇで縫い合わされている。以後、２箇所の縫い合わせ部２ｇをストッパ部と呼ぶ。これらの縫い合わせ箇所以外の部分では、基底部２と紐部３とは互いに固定されておらず、両者の間には隙間がある。
【００２２】
図２に示す輪状部４は、１枚の木綿の布を半分に折って重ね合わせた後、縁を縫い合わせ、さらに、１箇所で縫い合わせる（縫い合わせ部４ｃ）ことで、円形に広げることができる基部４ａと、帯状のつまみ部４ｂとで構成される。
【００２３】
次に、上記構成を有する骨格固定帯１の使用方法について、骨格固定帯１を妊婦が骨盤の固定に用いる場合を例にとって図３を中心に参照しながら説明する。尚、図３では妊婦１０の体の左側を示しているが、右側についても同様の動作を行う。
【００２４】
まず、図３（ａ）に示すように、紐部３の両端部を輪状部４の基部４ａに挿通させ、紐部３を交差させて骨格固定帯１全体を妊婦１０の恥骨と臀部の上に位置決めする。より具体的には、体の前面は、紐部３を恥骨上に当て、基底部分の布の上端部を上前腸骨棘よりも下側に配置し、体の裏面は仙腸関節よりも下、尾骨よりも上の位置の間に当てて装着する。装着方向は、基底部分を臀部側に当てる方法（図３に示す方法）と、基底部分を下腹部（恥骨上）に当てる方法があり、装着時の体のバランスをみながら、心地よい方向から装着する。
【００２５】
次に、交差させた紐部３を後ろ側に牽引し、張力を保ったまま、図３（ｂ）に示すように、紐部３の一部３ｄをストッパ部２ｇの後ろ側の基底部２と紐部３の一部３ａとの隙間に挿入し、ストッパ部２ｇを利用して紐部３の一部３ｄを指で矢印方向に押す。
【００２６】
次に、図３（ｃ）に示すように、紐部３の一部３ａの下方に突出した一部３ｄを指でつまんで矢印方向に少し引き出すことで、紐部３の一部３ｂから紐部３の一部３ｄにかけての部分とストッパ部２ｇとの引っ掛かりが定まるため、図３（ｄ）に示すように、骨格固定帯１全体が妊婦１０の恥骨と臀部の上に固定され、骨盤輪が固定される。
【００２７】
以上のように、骨格固定帯１によれば、マジックテープや伸縮ゴムを用いずに、また、結び目を作らずに紐部３を固定するため、着圧を維持することができると共に、体動に合わせて骨格固定帯１が徐々に体に沿って適度に緩むことで、立つ座るという動きに合わせて骨盤の固定強さが安楽に維持される。
【００２８】
また、紐部３の先端部３ｃがねじ込まれる紐部３の部分３ａは、芯に晒を使用して表面のガーゼ生地を補強しているため、紐部３の先端部３ｃをねじ込んでも形が崩れることがなく、一方、紐部３の先端部３ｃはガーゼ生地のみで薄いため、先端部３ｃ同士が重なりあっても、また、先端部３ｃと部分３ａが重なりあっても厚くならず、体表面への圧迫度を軽減することができる。
【００２９】
骨格固定帯１全体をすべて綿製品で構成したため、かぶれず、汗を吸うなどの効果があると共に、固定位置がずれにくく、体に合わせて固定強さが適度に変化するため、立位座位への体動に合わせて快適に装着し続けることができる。そのため、術後早期から使用することができ、骨盤輪を好適に固定できる。
【００３０】
さらに、基底部２を２つの基部２ａ、２ｂで構成し、角部を面取りすることで、骨格固定帯１を装着した後、椅子や便座に座る際等に邪魔になる部分がなく、快適に装着し続けることができる。
【００３１】
また、紐部３よりも幅広の基底部２によって、紐部３を恥骨結合の高さで両側から引っ張る際に、紐部３が臀部へ不快に食い込まずに骨格固定帯１を装着することができ、骨盤輪を安定させることができる。基底部２が存在しないと、紐部３が臀部に食い込んでしまうため痛くて長時間装着することができず、また、紐部３の臀部への食い込みは美的外観を損なう。
【００３２】
上記骨格固定帯１は、胸部固定帯として使用することもでき、胸部の骨格を適度な強さで固定することもできる。
【００３３】
尚、上記実施の形態では、基底部２と紐部３とを６箇所で縫い合わせたが（縫い合わせ部２ｆ、２ｇ）、基底部２と紐部３とを縫い合わせるのではなく、両者を接着材等で強固に接着してもよく、両者を一体化させればよい。
【００３４】
また、骨格固定帯１をすべて綿製品で構成することでかぶれないなどの効果があったが、必ずしもすべて綿製品で構成する必要はなく、一部又は全部を他の材料とすることもできる。
【００３５】
また、綿製品を使用する場合でも、必ずしも晒、包帯生地、ガーゼ生地に限らず、これらに代えて同様の機能を発揮する他の材料を用いることもできる。
【００３６】
さらに、基底部２を２つの基部２ａ、２ｂで構成し、角部を面取りすることで快適に装着し続けることができて好ましいが、必ずしもこのように構成する必要はなく、全体的に同じ幅で面取り部のない帯状に形成することもできる。
【００３７】
また、輪状部４を備え、紐部３の両端部を輪状部４に挿通させておくことで、紐部３の両端部がばらけて骨格固定帯１が体から脱落することを防止できて好ましいが、必ずしも輪状部４を設ける必要はない。
【符号の説明】
【００３８】
１  骨格固定帯
２  基底部
２ａ、２ｂ  基部
２ｃ  幅狭部
２ｄ、２ｅ  包帯生地
２ｆ  縫い合わせ部
２ｇ  ストッパ部
２ｈ  面取り部
２ｊ  両端部
３  紐部
３ａ、３ｂ、一部
３ｃ  端部
３ｄ  折り返し部分
４  輪状部
４ａ  基部
４ｂ  つまみ部
４ｃ  縫い合わせ部
１０  妊婦
【図１】
2018134167.tif 000003
【図２】
2018134167.tif 000004
【図３】
2018134167.tif 000005